(57)【要約】【課題】音声に合わせて撮影された動画において、音声の切り換わるタイミングに対応する部分の動画を容易に検索可能とすること。【解決手段】所定の音声と同期して動画を撮影する動画撮影手段と、前記所定の音声の所定箇所に関する外部機器から出力されるタイミング情報を取得するタイミング情報取得手段と、前記タイミング情報取得手段によって取得された前記タイミング情報を、前記動画撮影手段によって撮影される動画と対応付けて記憶するタイミング情報記憶手段と、を備える撮像装置。【選択図】図７
2015032846.tif 000002
【特許請求の範囲】
【請求項１】
所定の音声と同期して動画を撮影する動画撮影手段と、
前記所定の音声の所定箇所に関する外部機器から出力されるタイミング情報を取得するタイミング情報取得手段と、
前記タイミング情報取得手段によって取得された前記タイミング情報を、前記動画撮影手段によって撮影される動画と対応付けて記憶するタイミング情報記憶手段と、
を備えることを特徴とする撮像装置。
【請求項２】
前記所定の音声は、前記外部機器から音声出力され、
前記動画撮影手段は、前記外部機器から音声出力されている音声を録音しながら前記動画を撮影することを特徴とする請求項１に記載の撮像装置。
【請求項３】
前記タイミング情報記憶手段は、前記タイミング情報を前記タイミング情報取得手段によって取得されたタイミングで撮影された前記動画のフレームの位置を示す情報として記録することを特徴とする請求項１または２に記載の撮像装置。
【請求項４】
前記所定の音声は、編集され記録されている音声データが再生された音声であることを特徴とする請求項１から３のいずれか１項に記載の撮像装置。
【請求項５】
前記動画撮影手段による撮影の開始あるいは終了に応じて、外部機器に音声出力の開始あるいは終了を制御させる音声出力制御手段を備えることを特徴とする請求項４に記載の撮像装置。
【請求項６】
前記所定の音声は、リアルタイムで編集される音声データの音声であることを特徴とする請求項１から３のいずれか１項に記載の撮像装置。
【請求項７】
前記動画撮影手段は、外部機器における音声出力の開始あるいは終了に応じて、前記動画の撮影の開始あるいは終了を制御することを特徴とする請求項４または６に記載の撮像装置。
【請求項８】
前記タイミング情報記憶手段は、前記タイミング情報取得手段によって取得された前記タイミング情報を、前記動画撮影手段によって撮影されている動画に埋め込んで記録することを特徴とする請求項４または６に記載の撮像装置。
【請求項９】
前記タイミング情報記憶手段は、前記タイミング情報取得手段によって取得された前記タイミング情報を、前記動画撮影手段によって撮影されている動画とは別ファイルとして記録することを特徴とする請求項４または６に記載の撮像装置。
【請求項１０】
外部機器で撮影される動画と同期して音声を出力する音声出力手段と、
前記音声出力手段によって出力される音声の所定箇所に関するタイミング情報を前記外部機器に対して出力するタイミング情報出力手段と、
を備えることを特徴とする音声出力装置。
【請求項１１】
所定の音声と同期して動画を撮影する動画撮影ステップと、
前記所定の音声の所定箇所に関する外部機器から出力されるタイミング情報を取得するタイミング情報取得ステップと、
前記タイミング情報取得ステップにおいて取得された前記タイミング情報を、前記動画撮影ステップにおいて撮影される動画と対応付けて記憶するタイミング情報記憶ステップと、
を含むことを特徴とする撮像方法。
【請求項１２】
コンピュータを、
所定の音声と同期して動画を撮影する動画撮影手段と、
前記所定の音声の所定箇所に関する外部機器から出力されるタイミング情報を取得するタイミング情報取得手段と、
前記タイミング情報取得手段によって取得された前記タイミング情報を、前記動画撮影手段によって撮影される動画と対応付けて記憶するタイミング情報記憶手段と、
として機能させることを特徴とするプログラム。
【発明の詳細な説明】
【技術分野】
【０００１】
本発明は、撮像装置、音声出力装置、撮像方法及びプログラムに関する。
【背景技術】
【０００２】
従来、音楽を再生してスピーカやヘッドフォン等で音を出力しながら、それに合わせて踊っているダンス等の動画を撮影することが行われている。
例えば、複数の曲をつないだり、テンポを変更したりしてダンス用に編集された音楽に合わせて踊っている姿を撮影し、その動画を確認することで、ダンスの練習が行われる。
このように撮影された動画を再生する場合、撮影時に被写体の周囲に流れていた音楽に関するテンポの変更、曲の切り換わる瞬間等の情報が動画ファイルに反映されないため、撮影した動画の再生中にテンポ等が変更された部分、曲の切り換わる瞬間等に対応する被写体の撮影状態を確認するために検索したくとも、コマ戻し等で巻き戻すしか方法がなく視聴しやすいとは言えない。
ここで、特許文献１には、画像と共にファイルに記録されているオーディオ再生データに基づいて、撮影された画像に対応した音声を自動でオーディオ再生する技術が開示されている。
特許文献１に記載の技術は、オーディオ再生中の音声が格納されている場所を示すオーディオ再生情報を撮影した画像と共に記憶するものであり、容易に画像と音声とを同時に鑑賞することを可能とするものである。
【先行技術文献】
【特許文献】
【０００３】
【特許文献１】特開２００１−２８７０３号公報
【発明の概要】
【発明が解決しようとする課題】
【０００４】
しかしながら、特許文献１に記載の技術においては、自動でオーディオ再生する音声は、撮影時に被写体の周囲に流れていた音声とは無関係な音声であり、撮影時の音声と被写体の状態とを関連付けて検索することはできない。
【０００５】
本発明は、このような状況に鑑みてなされたものであり、音声に合わせて撮影された動画において、音声の切り換わるタイミングに対応する部分の動画を容易に検索可能とすることを目的とする。
【課題を解決するための手段】
【０００６】
上記目的を達成するため、本発明の一態様の撮像装置は、
所定の音声と同期して動画を撮影する動画撮影手段と、
前記所定の音声の所定箇所に関する外部機器から出力されるタイミング情報を取得するタイミング情報取得手段と、
前記タイミング情報取得手段によって取得された前記タイミング情報を、前記動画撮影手段によって撮影される動画と対応付けて記憶するタイミング情報記憶手段と、
を備えることを特徴とする。
【発明の効果】
【０００７】
本発明によれば、音声に合わせて撮影された動画において、音声の切り換わるタイミングに対応する部分の動画を容易に検索することが可能となる。
【図面の簡単な説明】
【０００８】
【図１】本発明の一実施形態に係る撮像システムのシステム構成を示す図である。
【図２】本発明の一実施形態に係る音声出力装置のハードウェア構成を示すブロック図である。
【図３】本発明の一実施形態に係る撮像装置のハードウェアの構成を示すブロック図である。
【図４】音声出力装置の機能的構成のうち、音楽出力処理を実行するための機能的構成を示す機能ブロック図である。
【図５】撮像装置の機能的構成のうち、動画撮影処理を実行するための機能的構成を示す機能ブロック図である。
【図６】イベントタグが示すイベントの例を表す図である。
【図７】音声出力装置によって出力される音楽と、撮像装置によって撮像される動画像との関係を示す模式図である。
【図８】撮像システム全体の概略的な動作例の流れを説明するフローチャートである。
【図９】図４の機能的構成を有する図２の音声出力装置が実行する音楽出力処理の流れを説明するフローチャートである。
【図１０】図５の機能的構成を有する図３の撮像装置が実行する撮像処理の流れを説明するフローチャートである。
【図１１】動画像のデータとは別ファイルに記録されたイベントタグを示す模式図である。
【発明を実施するための形態】
【０００９】
以下、本発明の実施形態について、図面を用いて説明する。
【００１０】
［第１実施形態］
［構成］
図１は、本発明の一実施形態に係る撮像システム１のシステム構成を示す図である。
図１において、撮像システム１は、音声出力装置１００と、撮像装置２００とを含んで構成され、音声出力装置１００と撮像装置２００とは、通信可能に構成されている。なお、音声出力装置１００と撮像装置２００との通信は、ＷｉＦｉ、ブルートゥース、赤外線通信等の無線通信あるいは通信ケーブルを介した有線通信によって行うことが可能である。
【００１１】
図２は、本発明の一実施形態に係る音声出力装置１００のハードウェア構成を示すブロック図である。
音声出力装置１００は、例えばスピーカを備えたポータブル音楽プレーヤーとして構成される。なお、音声出力装置１００として、スピーカに代えて、ヘッドフォンを介して音楽を出力する構成としてもよい。
音声出力装置１００は、ＣＰＵ（Ｃｅｎｔｒａｌ  Ｐｒｏｃｅｓｓｉｎｇ  Ｕｎｉｔ）１１１と、ＲＯＭ（Ｒｅａｄ  Ｏｎｌｙ  Ｍｅｍｏｒｙ）１１２と、ＲＡＭ（Ｒａｎｄｏｍ  Ａｃｃｅｓｓ  Ｍｅｍｏｒｙ）１１３と、バス１１４と、入出力インターフェース１１５と、入力部１１６と、出力部１１７と、記憶部１１８と、電源制御部１１９と、通信部１２０と、ドライブ１２１と、を備えている。
【００１２】
ＣＰＵ１１１は、ＲＯＭ１１２に記録されているプログラム、または、記憶部１１８からＲＡＭ１１３にロードされたプログラムにしたがって各種の処理を実行する。例えば、ＣＰＵ１１１は、音楽出力のためのプログラムにしたがって、所定形式（例えばＭＰ３形式等）の音楽のデータをデコードすることにより、音楽の出力処理を実行する。
【００１３】
また、ＣＰＵ１１１は、音楽の出力処理を行う場合に、設定されたタイミングで、音楽のデータに対応付けられているイベント情報を撮像装置２００に出力する。
ここで、イベント情報とは、音声出力装置１００によって再生される音楽のデータにおいて、編集された箇所（以下、適宜「編集点」と呼ぶ）を示す情報であり、例えば、曲の先頭箇所、曲の変更箇所、テンポの変更箇所あるいは曲の終了箇所等を表すイベント情報が音楽のデータに対応付けて設定されている。
【００１４】
ＲＡＭ１１３には、ＣＰＵ１１１が各種の処理を実行する上において必要なデータ等も適宜記憶される。
【００１５】
ＣＰＵ１１１、ＲＯＭ１１２及びＲＡＭ１１３は、バス１１４を介して相互に接続されている。このバス１１４にはまた、入出力インターフェース１１５も接続されている。入出力インターフェース１１５には、入力部１１６、出力部１１７、記憶部１１８、電源制御部１１９、通信部１２０及びドライブ１２１が接続されている。
【００１６】
入力部１１６は、電源ボタン、再生開始ボタン、再生停止ボタン等、各種ボタンで構成され、ユーザの指示操作に応じて各種情報を入力する。
出力部１１７は、ディスプレイやスピーカ等で構成され、画像や音楽を出力する。
記憶部１１８は、ＤＲＡＭ（Ｄｙｎａｍｉｃ  Ｒａｎｄｏｍ  Ａｃｃｅｓｓ  Ｍｅｍｏｒｙ）等の半導体メモリで構成され、各種音楽や画像のデータ等を記憶する。
電源制御部１１９は、不図示のバッテリの充電状態を検出し、充電状態を示すデータをＣＰＵ１１１に出力する。
通信部１２０は、撮像装置２００との間で行う通信を制御する。
【００１７】
ドライブ１２１には、半導体メモリ等よりなるリムーバブルメディア１３１が適宜装着される。ドライブ１２１によってリムーバブルメディア１３１から読み出されたプログラムは、必要に応じて記憶部１１８にインストールされる。また、リムーバブルメディア１３１は、記憶部１１８に記憶されている音楽のデータ等の各種データも、記憶部１１８と同様に記憶することができる。
【００１８】
図３は、本発明の一実施形態に係る撮像装置２００のハードウェアの構成を示すブロック図である。
撮像装置２００は、例えばデジタルカメラとして構成される。
【００１９】
撮像装置２００は、ＣＰＵ２１１と、ＲＯＭ２１２と、ＲＡＭ２１３と、バス２１４と、入出力インターフェース２１５と、撮像部２１６と、入力部２１７と、出力部２１８と、記憶部２１９と、通信部２２０と、電源制御部２２１と、ドライブ２２２と、を備えている。
【００２０】
ＣＰＵ２１１は、ＲＯＭ２１２に記録されているプログラム、または、記憶部２１９からＲＡＭ２１３にロードされたプログラムにしたがって各種の処理を実行する。また、ＣＰＵ２１１には、撮像部２１６の出力信号が入力される。撮像部２１６の出力信号によって表されるデータを、以下、「撮像画像のデータ」と呼ぶ。
【００２１】
また、ＣＰＵ２１１は、撮像部２１６から連続して出力される複数の撮像画像のデータに基づいて、連続的に撮像画像を表示する処理を実行する。即ち、ＣＰＵ２１１は、撮像部２１６による撮像動作が継続されている間、撮像部２１６から順次出力される撮像画像のデータをメモリ（ＲＡＭ２１３等）に一時的に記憶させると共に、一時的に記憶された撮像画像のデータを順次読み出して出力部２１８のディスプレイに画像を表示するライブビュー表示を実行する。ライブビュー表示において、出力部２１８のディスプレイに表示される画像を以下、「ライブビュー画像」と呼ぶ。なお、ライブビュー画像は、出力部２１８のディスプレイにおける表示領域全体に表示される。
さらに、ＣＰＵ２１１は、シャッタボタンの押下等による動画の撮影記録の指示にしたがって、撮像部２１６から連続して出力される複数の撮像画像のデータを動画像のデータとして記録する処理を実行する。
【００２２】
ＲＡＭ２１３には、ＣＰＵ２１１が各種の処理を実行する上において必要なデータ等も適宜記憶される。
【００２３】
ＣＰＵ２１１、ＲＯＭ２１２及びＲＡＭ２１３は、バス２１４を介して相互に接続されている。このバス２１４にはまた、入出力インターフェース２１５も接続されている。入出力インターフェース２１５には、撮像部２１６、入力部２１７、出力部２１８、記憶部２１９、通信部２２０、電源制御部２２１及びドライブ２２２が接続されている。
【００２４】
撮像部２１６は、図示はしないがフォーカスレンズやズームレンズを含む光学レンズ部と、イメージセンサと、を備えている。
【００２５】
光学レンズ部は、被写体を撮影するために、フォーカスレンズやズームレンズ等の各種レンズで構成される。
フォーカスレンズは、イメージセンサの受光面に被写体像を結像させるレンズである。ズームレンズは、焦点距離を一定の範囲で自在に変化させるレンズである。
光学レンズ部にはまた、必要に応じて、焦点、露出、ホワイトバランス等の設定パラメータを調整する周辺回路が設けられる。
【００２６】
イメージセンサは、光電変換素子や、ＡＦＥ（Ａｎａｌｏｇ  Ｆｒｏｎｔ  Ｅｎｄ）等から構成される。
光電変換素子は、例えばＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）型の光電変換素子等から構成される。光電変換素子には、光学レンズ部から被写体像が入射される。そこで、光電変換素子は、被写体像を光電変換（撮像）して画像信号を一定時間蓄積し、蓄積した画像信号をアナログ信号としてＡＦＥに順次供給する。
【００２７】
ＡＦＥは、このアナログの画像信号に対して、Ａ／Ｄ（Ａｎａｌｏｇ／Ｄｉｇｉｔａｌ）変換処理等の各種信号処理を実行する。各種信号処理によって、ディジタル信号が生成され、撮像部２１６の出力信号として出力される。
このような撮像部２１６の出力信号によって表されるデータは、撮像画像のデータとして、ＣＰＵ２１１やＲＡＭ２１３等に適宜供給される。
【００２８】
入力部２１７は、電源ボタン、シャッタボタン等、各種ボタンで構成され、ユーザの指示操作に応じて各種情報を入力する。
出力部２１８は、ディスプレイやスピーカ等で構成され、画像や音声を出力する。
記憶部２１９は、ハードディスクあるいはＤＲＡＭ（Ｄｙｎａｍｉｃ  Ｒａｎｄｏｍ  Ａｃｃｅｓｓ  Ｍｅｍｏｒｙ）等で構成され、各種画像のデータを記憶する。
通信部２２０は、インターネットを含むネットワークを介して他の装置（図示せず）との間で行う通信を制御する。
【００２９】
電源制御部２２１は、不図示のバッテリの充電状態を検出し、充電状態を示すデータをＣＰＵ２１１に出力する。
ドライブ２２２には、磁気ディスク、光ディスク、光磁気ディスク、あるいは半導体メモリ等よりなる、リムーバブルメディア２３１が適宜装着される。ドライブ２２２によってリムーバブルメディア２３１から読み出されたプログラムは、必要に応じて記憶部２１９にインストールされる。また、リムーバブルメディア２３１は、記憶部２１９に記憶されている撮像画像のデータ等の各種データも、記憶部２１９と同様に記憶することができる。
【００３０】
図４は、このような音声出力装置１００の機能的構成のうち、音楽出力処理を実行するための機能的構成を示す機能ブロック図である。
音楽出力処理とは、複数の曲の連結、テンポの変更等の編集が施され、その編集点にイベント情報が対応付けられた音楽ファイルに基づいて、音楽と共に、設定されているイベント情報を順次出力する一連の処理をいう。
【００３１】
音楽出力処理が実行される場合、ＣＰＵ１１１においては、撮影信号受信制御部１４１と、音楽出力部１４２と、イベント送信制御部１４３とが機能する。
撮影信号受信制御部１４１は、撮像装置２００から送信された動画像の撮影開始を示す信号（撮影開始信号）及び撮影終了を示す信号（撮影終了信号）を受信する。そして、撮影信号受信制御部１４１は、受信した撮影開始信号あるいは撮影終了信号を音楽出力部１４２に出力する。
【００３２】
音楽出力部１４２は、撮影信号受信制御部１４１から撮影開始信号が入力されると、ユーザによって出力が指示された音楽の音楽ファイルについて記憶部１１８からの読み出しを開始し、音楽ファイルに含まれている音楽のデータをデコードする。そして、音楽出力部１４２は、デコードして得られる音楽を出力部１１７を介して出力する。また、音楽出力部１４２は、撮影信号受信制御部１４１から撮影終了信号が入力されると、音楽の出力を終了する。
さらに、音楽出力部１４２は、音楽ファイルに含まれている音楽に設定されたイベント情報を検出し、検出したイベント情報をイベント送信制御部１４３に出力する。
イベント送信制御部１４３は、出力される音楽に合わせて、イベント情報が検出されたタイミングで、音楽出力部１４２から入力されたイベント情報を通信部２２０を介して撮像装置２００に送信する。
【００３３】
次に、撮像装置２００の機能的構成について説明する。
図５は、撮像装置２００の機能的構成のうち、動画撮影処理を実行するための機能的構成を示す機能ブロック図である。
動画撮影処理とは、音声出力装置１００から受信したイベント情報に基づいて、そのイベントを表すイベントタグと対応付けながら、被写体の動画像を撮影する一連の処理をいう。
【００３４】
動画撮影処理が実行される場合、ＣＰＵ２１１においては、撮影信号送信制御部２４１と、イベント受信制御部２４２と、動画データ生成部２４３とが機能する。
撮影信号送信制御部２４１は、入力部２１７を介して動画像の撮影開始が指示されると、音声出力装置１００に対して、撮影開始信号を送信する。また、撮影信号送信制御部２４１は、入力部２１７を介して動画像の撮影終了が指示されると、音声出力装置１００に対して、撮影終了信号を送信する。
イベント受信制御部２４２は、通信部２２０を介してイベント情報を受信すると、受信したイベント情報及び受信した時刻を動画データ生成部２４３に出力する。
【００３５】
動画データ生成部２４３は、入力部２１７を介して動画像の撮影が指示されると、撮影信号送信制御部２４１の動作と共に、撮像部２１６から入力される撮像画像のデータを動画像のデータとして記録する。
また、動画データ生成部２４３は、イベント受信制御部２４２からイベント情報及び受信時刻が入力されると、受信時刻における動画像のデータのフレームと対応付けて、イベント情報が表すイベントのイベントタグを記録する。動画データ生成部２４３は、例えば、イベントタグを動画像のデータのフレームにおけるヘッダ領域に格納することにより、イベントタグを記録する。
ここで、イベントタグとは、イベント情報が表すイベントの内容を示すタグ情報であり、動画像のデータにおけるフレームに付されることで、そのフレームのタイミングで、音声出力装置１００が出力する音楽に特定のイベントが発生したことを示すものである。
【００３６】
図６は、イベントタグが示すイベントの例を表す図である。
図６に示すように、本実施形態においては、イベントタグが示すイベントとして、曲の先頭、曲の変更、テンポの変更、曲の終了、任意に設定された編集点等が定義されている。
【００３７】
図７は、音声出力装置１００によって出力される音楽と、撮像装置２００によって撮像される動画像との関係を示す模式図である。
図７において、音声出力装置１００によって出力される音楽は、時刻Ｔ１において曲Ａが始まり、時刻Ｔ２において曲Ｂに移行する。また、時刻Ｔ３において曲Ｂのテンポが変更され、時刻Ｔ４において曲Ｃに移行する。
この場合、音声出力装置１００は、時刻Ｔ１において、曲Ａの先頭を示すイベント情報、時刻Ｔ２において、曲Ｂの先頭を示すイベント情報、時刻Ｔ３において、テンポの変更を示すイベント情報、時刻Ｔ４において、曲Ｃの先頭を示すイベント情報を撮像装置２００に送信する。
【００３８】
そして、撮像装置２００は、各時刻において音声出力装置１００から受信したイベント情報に応じたイベントタグを、その時刻に撮像されたフレームのヘッダに格納し、動画像データにイベントタグを対応付ける。
このように動画データ生成部２４３によって生成された動画像のデータには、音声出力装置１００によって出力された音楽の編集点のタイミングで、イベントタグが設定されている。
【００３９】
したがって、音楽の編集点を基準として動画像のデータを検索できるため、例えば音楽に合わせてダンスをしているシーンを撮影した動画像において、音楽における特定の編集点のダンスのシーンを容易に検索することができる。
また、動画像のデータとイベントタグとが一体のファイルとなるため、データの管理が容易なものとなる。
【００４０】
［動作］
次に、動作を説明する。
初めに、撮像システム１全体における動作例の概略を説明する。
図８は、撮像システム１全体の概略的な動作例の流れを説明するフローチャートである。
撮像システム１が動作する場合、初めに、撮像装置２００は、動画像を撮影するモード（動画モード）に設定され、音声出力装置１００は、撮像装置２００と通信を行うモード(通信モード)に設定される。これにより、動作のためのスタンバイ状態となる。
【００４１】
ステップＣ１において、撮像装置２００は、タイマを一致させる等、音声出力装置１００との同期を行うための信号（同期開始信号）を送信する。
ステップＭ１において、音声出力装置１００は、撮像装置２００から送信される同期開始信号に応じて、タイマの設定等を行い、同期を開始する。
ステップＣ２において、撮像装置２００は、ユーザの操作に応じて、動画像の撮影を開始し、音声出力装置１００に撮影開始信号を送信する。
【００４２】
一方、ステップＭ２において、音声出力装置１００は、撮像装置２００から撮影開始信号を受信したことに応じて、音楽ファイルの再生を開始する。
次に、ステップＭ３において、音声出力装置１００は、再生中の音楽ファイルにおいて、曲の先頭を示すイベント情報を検出すると、そのイベント情報を撮像装置２００に送信する。
ステップＣ３において、撮像装置２００は、曲の先頭を示すイベント情報を受信し、撮影中の動画像のフレームに、受信したイベント情報に対応するイベントタグ（曲の先頭）を設定する。
【００４３】
次に、ステップＭ４において、音声出力装置１００は、再生中の音楽ファイルにおける曲の変更を示すイベント情報を検出すると、そのイベント情報を撮像装置２００に送信する。
ステップＣ４において、撮像装置２００は、曲の変更を示すイベント情報を受信し、撮影中の動画像のフレームに、受信したイベント情報に対応するイベントタグ（曲の変更）を設定する。
【００４４】
次に、ステップＭ５において、音声出力装置１００は、再生中の音楽ファイルにおけるテンポの変更を示すイベント情報を検出すると、そのイベント情報を撮像装置２００に送信する。
ステップＣ５において、撮像装置２００は、テンポの変更を示すイベント情報を受信し、撮影中の動画像のフレームに、受信したイベント情報に対応するイベントタグ（テンポの変更）を設定する。
【００４５】
次に、ステップＣ６において、撮像装置２００は、音声出力装置１００に撮影終了信号を送信し、動画像の撮影を終了する。
ステップＣ６の後、撮像装置２００は、動画モードを終了する。
ステップＭ６において、音声出力装置１００は、撮像装置２００から撮影終了信号を受信したことに応じて、音楽ファイルの再生を終了する。
ステップＭ６の後、音声出力装置１００は、通信モードを終了する。
【００４６】
次に、このような動作を行うための音声出力装置１００及び撮像装置２００の具体的な処理について説明する。
図９は、図４の機能的構成を有する図２の音声出力装置１００が実行する音楽出力処理の流れを説明するフローチャートである。
音楽出力処理は、撮像装置２００から撮影開始信号を受信したことを契機として開始される。
ステップＳ１において、音楽出力部１４２は、タイマｔをゼロにセット（ｔ＝０）する。このタイマｔの値は、撮像装置２００から送信されるタイマｆ（後述）と比較され、撮像装置２００との同期を取るために用いられる。
【００４７】
ステップＳ２において、音楽出力部１４２は、音楽ファイルの再生終了が指示されたか否か（即ち、撮像装置２００から撮影終了信号を受信したか否か）の判定を行う。
音楽ファイルの再生終了が指示された場合、ステップＳ２においてＹＥＳと判定されて、処理は終了となる。
これに対し、音楽ファイルの再生終了が指示されていない場合、ステップＳ２においてＮＯと判定されて、処理はステップＳ３に移行する。
ステップＳ３において、音楽出力部１４２は、再生中の音楽ファイルにおいて、曲の先頭を示すイベント情報が検出されたか否かの判定を行う。
【００４８】
再生中の音楽ファイルにおいて、曲の先頭を示すイベント情報が検出された場合、ステップＳ３においてＹＥＳと判定されて、処理はステップＳ４に移行する。
これに対し、曲の先頭を示すイベント情報が検出されていない場合、ステップＳ３においてＮＯと判定されて、処理はステップＳ５に移行する。
ステップＳ４において、音楽出力部１４２は、イベント送信制御部１４３を介して曲の先頭を示すイベント情報を撮像装置２００に送信する。
ステップＳ４の後、処理はステップＳ５に移行する。
【００４９】
ステップＳ５において、音楽出力部１４２は、再生中の音楽ファイルにおいて、曲の変更を示すイベント情報が検出されたか否かの判定を行う。
再生中の音楽ファイルにおいて、曲の変更を示すイベント情報が検出された場合、ステップＳ５においてＹＥＳと判定されて、処理はステップＳ６に移行する。
これに対し、再生中の音楽ファイルにおいて、曲の変更を示すイベント情報が検出されていない場合、ステップＳ５においてＮＯと判定されて、処理はステップＳ７に移行する。
【００５０】
ステップＳ６において、音楽出力部１４２は、イベント送信制御部１４３を介して曲の変更を示すイベント情報を撮像装置２００に送信する。
ステップＳ６の後、処理はステップＳ７に移行する。
ステップＳ７において、音楽出力部１４２は、再生中の音楽ファイルにおいて、テンポの変更を示すイベント情報が検出されたか否かの判定を行う。
再生中の音楽ファイルにおいて、テンポの変更を示すイベント情報が検出された場合、ステップＳ７においてＹＥＳと判定されて、処理はステップＳ８に移行する。
これに対し、再生中の音楽ファイルにおいて、テンポの変更を示すイベント情報が検出されていない場合、ステップＳ７においてＮＯと判定されて、処理はステップＳ９に移行する。
【００５１】
ステップＳ８において、音楽出力部１４２は、イベント送信制御部１４３を介してテンポの変更を示すイベント情報を撮像装置２００に送信する。
ステップＳ８の後、処理はステップＳ９に移行する。
ステップＳ９において、音楽出力部１４２は、再生中の音楽ファイルにおいて、任意に設定された編集点を示すイベント情報が検出されたか否かの判定を行う。
再生中の音楽ファイルにおいて、任意に設定された編集点を示すイベント情報が検出された場合、ステップＳ９においてＹＥＳと判定されて、処理はステップＳ１０に移行する。
【００５２】
これに対し、再生中の音楽ファイルにおいて、任意に設定された編集点を示すイベント情報が検出されていない場合、ステップＳ９においてＮＯと判定されて、処理はステップＳ１１に移行する。
ステップＳ１０において、音楽出力部１４２は、イベント送信制御部１４３を介して任意に設定された編集点を示すイベント情報を撮像装置２００に送信する。
ステップＳ１０の後、処理はステップＳ１１に移行する。
ステップＳ１１において、音楽出力部１４２は、タイマｔの値をインクリメントする。
ステップＳ１１の後、処理はステップＳ２に戻る。
【００５３】
次に、撮像装置２００が実行する処理について説明する。
図１０は、図５の機能的構成を有する図３の撮像装置２００が実行する撮像処理の流れを説明するフローチャートである。
撮像処理は、ユーザにより入力部２１７に対して、動画像の撮影を実行するための操作がなされたことを契機として開始される。
ステップＳ２１において、撮影信号送信制御部２４１は、音声出力装置１００に撮影開始信号を送信する。
ステップＳ２２において、動画データ生成部２４３は、動画像のデータを格納するファイルを作成する。
【００５４】
ステップＳ２３において、動画データ生成部２４３は、タイマｆをゼロにセット（ｆ＝０）する。このタイマｔの値は、音声出力装置１００との同期を取るために、音声出力装置１００に対して随時送信される。
ステップＳ２４において、動画データ生成部２４３は、動画像の撮影を終了する操作が行われたか否かの判定を行う。
動画像の撮影を終了する操作が行われた場合、ステップＳ２４においてＹＥＳと判定されて、処理はステップＳ３５に移行する。
これに対し、動画像の撮影を終了する操作が行われていない場合、ステップＳ２４においてＮＯと判定されて、処理はステップＳ２５に移行する。
【００５５】
ステップＳ２５において、動画データ生成部２４３は、撮像部２１６から入力される撮像画像のデータから動画像のフレームを作成する。ここで作成されたフレームは、順次記憶部２１９に記憶された動画像のファイルに格納される。
ステップＳ２６において、動画データ生成部２４３は、イベント受信制御部２４２を介して曲の先頭を示すイベント情報を受信したか否かの判定を行う。
イベント受信制御部２４２を介して曲の先頭を示すイベント情報を受信した場合、ステップＳ２６においてＹＥＳと判定されて、処理はステップＳ２７に移行する。
これに対し、イベント受信制御部２４２を介して曲の先頭を示すイベント情報を受信していない場合、ステップＳ２６においてＮＯと判定されて、処理はステップＳ２８に移行する。
【００５６】
ステップＳ２７において、動画データ生成部２４３は、曲の先頭を示すイベントタグをフレームのヘッダに格納する。
ステップＳ２７の後、処理はステップＳ２８に移行する。
ステップＳ２８において、動画データ生成部２４３は、イベント受信制御部２４２を介して曲の変更を示すイベント情報を受信したか否かの判定を行う。
イベント受信制御部２４２を介して曲の変更を示すイベント情報を受信した場合、ステップＳ２８においてＹＥＳと判定されて、処理はステップＳ２９に移行する。
これに対し、イベント受信制御部２４２を介して曲の変更を示すイベント情報を受信していない場合、ステップＳ２８においてＮＯと判定されて、処理はステップＳ３０に移行する。
【００５７】
ステップＳ２９において、動画データ生成部２４３は、曲の変更を示すイベントタグをフレームのヘッダに格納する。
ステップＳ２９の後、処理はステップＳ３０に移行する。
ステップＳ３０において、動画データ生成部２４３は、イベント受信制御部２４２を介してテンポの変更を示すイベント情報を受信したか否かの判定を行う。
イベント受信制御部２４２を介してテンポの変更を示すイベント情報を受信した場合、ステップＳ３０においてＹＥＳと判定されて、処理はステップＳ３１に移行する。
これに対し、イベント受信制御部２４２を介してテンポの変更を示すイベント情報を受信していない場合、ステップＳ３０においてＮＯと判定されて、処理はステップＳ３２に移行する。
【００５８】
ステップＳ３１において、動画データ生成部２４３は、テンポの変更を示すイベントタグをフレームのヘッダに格納する。
ステップＳ３１の後、処理はステップＳ３２に移行する。
ステップＳ３２において、動画データ生成部２４３は、イベント受信制御部２４２を介して任意に設定された編集点を示すイベント情報を受信したか否かの判定を行う。
イベント受信制御部２４２を介して任意に設定された編集点を示すイベント情報を受信した場合、ステップＳ３２においてＹＥＳと判定されて、処理はステップＳ３３に移行する。
これに対し、イベント受信制御部２４２を介して任意に設定された編集点を示すイベント情報を受信していない場合、ステップＳ３２においてＮＯと判定されて、処理はステップＳ３４に移行する。
【００５９】
ステップＳ３３において、動画データ生成部２４３は、任意に設定された編集点を示すイベントタグをフレームのヘッダに格納する。
ステップＳ３３の後、処理はステップＳ３４に移行する。
ステップＳ３４において、動画データ生成部２４３は、タイマｆをインクリメントする。
ステップＳ３４の後、処理はステップＳ２４に戻る。
【００６０】
ステップＳ３５において、動画データ生成部２４３は、動画像のデータを格納するファイルをクローズし、ファイルの作成を終了する。
ステップＳ３６において、撮影信号送信制御部２４１は、撮影終了信号を音声出力装置１００に送信する。
ステップＳ３６の後、撮像処理は終了となる。
【００６１】
以上のように、本実施形態における撮像装置２００は、イベント受信制御部２４２と、動画データ生成部２４３と、を備える。
動画データ生成部２４３は、所定の音声（例えば音楽ファイルに含まれる音楽）と同期して動画を録画する。
イベント受信制御部２４２は、外部機器（例えば音声出力装置１００）から出力される音声出力中の音声の編集箇所に関する編集情報（イベント情報）を取得する。
動画データ生成部２４３は、編集情報を録画されている動画と対応付けて記憶する。
このような構成により、曲をつないだりテンポを変えたりといった編集を行いスピーカやヘッドフォン等で出力された音声と同期して、音楽に合わせた踊り等の撮影を行う場合に、曲の変更やテンポの変更といった音声の編集箇所に関する編集情報を取得して、録画中の動画の録画動作を制御することで、動画再生時のタイミングに関する検索が容易になる。
即ち、本発明によれば、編集された音楽に合わせて撮影された動画において、音楽の種々の編集箇所に対応する部分の動画を容易に検索することが可能となる。
【００６２】
また、動画データ生成部２４３は、音声出力されている音声を録音しながら前記動画を録画する。
このような構成により、映像と音声の一体感があり、臨場感にあふれる動画を得ることができる。
【００６３】
また、動画データ生成部２４３は、編集情報をその取得されたタイミングで録画された動画のフレームの位置を示す情報として記録する。
このような構成により、音声の編集箇所に関する編集情報に基づいて動画の検索が可能となるので、動画再生時に、曲の切り換わる瞬間や曲のテンポが変わったタイミングに容易にジャンプできる。
【００６４】
また、音声出力される音声は、編集され記録されている音声データが再生された音声である。
このような構成により、事前に編集しておいた音声データを再生するだけで、音声の編集箇所に関する編集情報を取得して、録画中の動画に関連させて記録できる。
【００６５】
また、本実施形態に係る撮像装置２００は、撮影信号送信制御部２４１を備える。
撮影信号送信制御部２４１は、動画データ生成部２４３による録画の開始あるいは終了に応じて、外部機器（音声出力装置１００）に音声出力の開始あるいは終了を制御させる。
このような構成により、撮像装置２００側で録画の開始、終了を行うだけで、自動的に音楽再生の開始、終了を制御し、音声の編集箇所に関する編集情報を取得して、録画中の動画に関連させて記録できる。
【００６６】
また、動画データ生成部２４３は、編集情報を録画されている動画（例えばフレームのヘッダ）に埋め込んで記録する。
このような構成により、１つの動画ファイルのみに全てのデータが記録されるので、データの管理が容易になる。
【００６７】
また、本実施形態に係る音声出力装置１００は、音楽出力部１４２と、イベント送信制御部１４３と、を備える。
音楽出力部１４２は、外部（撮像装置２００）で録画される動画と同期して音声を出力する。
イベント送信制御部１４３は、出力される音声の編集箇所に関する編集情報を外部機器に対して出力する。
このような構成により、音声を出力する装置から動画を撮影する装置に対して音声の編集箇所を通知することができるため、動画を撮影する装置において、動画と対応付けて音声の編集箇所を記録することができる。
【００６８】
［変形例］
上述の実施形態において、音声出力装置１００は、複数の曲の連結、テンポの変更等の編集が施され、その編集点にイベント情報が対応付けられた音楽ファイルを再生するものとして説明した。
これに対し、リアルタイムに曲やテンポ等が変更される状況（例えばディスクジョッキーによる音楽パフォーマンス等）においても、本発明を適用することが可能である。
即ち、曲やテンポ等が変更される毎に、そのイベントに対応したイベント情報（編集点を示す情報）を音楽に対応付けて撮像装置２００に送信することで、リアルタイムに変化される音楽においても、イベントタグを設定した動画像を撮影することが可能となる。
【００６９】
このように、本変形例に係る撮像装置２００において、動画データ生成部２４３は、所定の音声と同期して動画を録画し、その音声は、リアルタイムで編集される音声データの音声であることとしてもよい。
このような構成により、クラブのＤＪのように臨機応変に音声出力の編集を行う場合であっても、音声の編集箇所に関する編集情報を取得して、録画中の動画に関連させて記録できる。
【００７０】
［第２実施形態］
次に、本発明の第２実施形態について説明する。
第１実施形態においては、撮像装置２００が撮像処理を実行する場合、動画像のフレームにおけるヘッダにイベントタグを格納することとした。
即ち、撮像装置２００によって生成される動画像のファイルは、動画像のデータとイベントタグとが一体となったファイルである。
一方、撮像装置２００が撮像処理を実行する場合、動画像のデータとイベントタグとを別ファイルに記録することができる。
【００７１】
図１１は、動画像のデータとは別ファイルに記録されたイベントタグを示す模式図である。
図１１において、イベントタグを示す数字は、図６におけるイベントタグが示すイベントの種類と対応するものであり、図７に示すイベントタグを別ファイルとした例を示している。
図１１に示すように、動画像のデータにおけるタイムスタンプ（先頭からの時間（時：分:秒））と、イベントタグとを対応付けて記録することで、動画像のデータを汎用性の高いものとできる。
【００７２】
このように、本実施形態における撮像装置２００の動画データ生成部２４３は、編集情報を録画されている動画とは別ファイルとして記録する。
このような構成により、動画ファイルには手を加えないため、動画ファイルの汎用性を高いものとできる。
【００７３】
なお、本発明は、上述の実施形態に限定されるものではなく、本発明の目的を達成できる範囲での変形、改良等は本発明に含まれるものである。
【００７４】
上述の実施形態では、撮像装置２００から音声出力装置１００に撮影開始信号及び撮影終了信号を送信し、音声出力装置１００は、撮影開始信号を受信することに対応して音楽ファイルの再生を開始したり、撮影終了信号を受信することに対応して音楽ファイルの再生を終了したりすることとした。
これに対し、撮像装置２００が、音声出力装置１００から音楽ファイルの再生を開始したことを示す信号（再生開始信号）を受信することに対応して、動画像の撮影を開始したり、音楽ファイルの再生を終了したことを示す信号（再生終了信号）を受信することに対応して、動画像の撮影を終了したりすることとしてもよい。
即ち、撮像装置２００における動画データ生成部２４３は、外部機器（音声出力装置１００）における音声出力の開始あるいは終了に応じて、動画の録画の開始あるいは終了を制御する。
このような構成により、外部機器側で音声の開始、終了を行うだけで、自動的に録画の開始、終了を制御し、音声のタイミングに関連する情報を取得して、録画中の動画に関連させて記録できる。
また、上述の実施形態では、まず撮像装置２００から音声出力装置１００との間で同期を取り、その後に開始信号の送受信を行っているが、開始信号の送受信と同時に同期を取るようにしてもよい。
【００７５】
また、上述の実施形態において、音声出力装置１００が、曲の先頭を示すイベント情報や曲の変更を示すイベント情報を検出した場合に、曲名やアーティスト名を取得して、取得した曲名やアーティスト名をイベント情報に含めて撮像装置２００に送信することとしてもよい。
また、上述の実施形態では、音声出力装置１００が出力する音声は音楽として説明しているが、これに限らず、ダンスの振り付けを指示する人物の声といったものであってもよい。
また、上述の実施形態では、動画撮影処理中にイベントタグの設定を行っているが、動画撮影中にイベントタグの種類とタイミングを一時記憶しておき、動画撮影が終わってからまとめてイベントタグの設定を行うようにしてもよい。
【００７６】
また、上述の実施形態において、音声出力装置１００において、音楽の出力及びイベント情報の送信を共に行うこととして説明したが、これらを異なる装置によって行うこととしてもよい。例えば、ポータブル音楽プレーヤーによって音楽を出力し、その音楽に対応付けられたイベント情報を、ポータブル音楽プレーヤーと同期したＰＣやスマートフォン等の情報処理装置から、撮像装置２００に送信することとしてもよい。
【００７７】
また、上述の実施形態では、本発明が適用される音声出力装置１００は、ポータブル音楽プレーヤーを例として説明したが、特にこれに限定されない。
例えば、本発明は、音楽出力機能を有する電子機器一般に適用することができる。具体的には、例えば、本発明は、ノート型のパーソナルコンピュータ、プリンタ、テレビジョン受像機、ビデオカメラ、携帯型ナビゲーション装置、携帯電話機、スマートフォン、ポータブルゲーム、ＤＪ（ＤＩＳＫ  ＪＯＣＫＥＹ）機器等に適用可能である。
【００７８】
また、上述の実施形態では、本発明が適用される撮像装置２００は、デジタルカメラを例として説明したが、特にこれに限定されない。
例えば、本発明は、撮影機能を有する電子機器一般に適用することができる。具体的には、例えば、本発明は、ノート型のパーソナルコンピュータ、プリンタ、テレビジョン受像機、ビデオカメラ、携帯型ナビゲーション装置、携帯電話機、スマートフォン、ポータブルゲーム機等に適用可能である。
【００７９】
上述した一連の処理は、ハードウェアにより実行させることもできるし、ソフトウェアにより実行させることもできる。
換言すると、図４及び５の機能的構成は例示に過ぎず、特に限定されない。即ち、上述した一連の処理を全体として実行できる機能が音声出力装置１００あるいは撮像装置２００に備えられていれば足り、この機能を実現するためにどのような機能ブロックを用いるのかは特に図４及び５の例に限定されない。
また、１つの機能ブロックは、ハードウェア単体で構成してもよいし、ソフトウェア単体で構成してもよいし、それらの組み合わせで構成してもよい。
【００８０】
一連の処理をソフトウェアにより実行させる場合には、そのソフトウェアを構成するプログラムが、コンピュータ等にネットワークや記録媒体からインストールされる。
コンピュータは、専用のハードウェアに組み込まれているコンピュータであってもよい。また、コンピュータは、各種のプログラムをインストールすることで、各種の機能を実行することが可能なコンピュータ、例えば汎用のパーソナルコンピュータであってもよい。
【００８１】
このようなプログラムを含む記録媒体は、ユーザにプログラムを提供するために装置本体とは別に配布される図２及び３のリムーバブルメディア１３１、２３１により構成されるだけでなく、装置本体に予め組み込まれた状態でユーザに提供される記録媒体等で構成される。リムーバブルメディア１３１、２３１は、例えば、磁気ディスク（フロッピディスクを含む）、光ディスク、または光磁気ディスク等により構成される。光ディスクは、例えば、ＣＤ−ＲＯＭ（Ｃｏｍｐａｃｔ  Ｄｉｓｋ−Ｒｅａｄ  Ｏｎｌｙ  Ｍｅｍｏｒｙ），ＤＶＤ（Ｄｉｇｉｔａｌ  Ｖｅｒｓａｔｉｌｅ  Ｄｉｓｋ），Ｂｌｕ−ｒａｙ  Ｄｉｓｃ（ブルーレイディスク）（登録商標）等により構成される。光磁気ディスクは、ＭＤ（Ｍｉｎｉ−Ｄｉｓｋ）等により構成される。また、装置本体に予め組み込まれた状態でユーザに提供される記録媒体は、例えば、プログラムが記録されている図２、３のＲＯＭ１１２、２１２や、図２、３の記憶部１１８、２１９に含まれるハードディスク等で構成される。
【００８２】
なお、本明細書において、記録媒体に記録されるプログラムを記述するステップは、その順序に沿って時系列的に行われる処理はもちろん、必ずしも時系列的に処理されなくとも、並列的あるいは個別に実行される処理をも含むものである。
また、本明細書において、システムの用語は、複数の装置や複数の手段等より構成される全体的な装置を意味するものとする。
【００８３】
以上、本発明のいくつかの実施形態について説明したが、これらの実施形態は、例示に過ぎず、本発明の技術的範囲を限定するものではない。本発明はその他の様々な実施形態を取ることが可能であり、さらに、本発明の要旨を逸脱しない範囲で、省略や置換等種々の変更を行うことができる。これら実施形態やその変形は、本明細書等に記載された発明の範囲や要旨に含まれると共に、特許請求の範囲に記載された発明とその均等の範囲に含まれる。
【００８４】
以下に、本願の出願当初の特許請求の範囲に記載された発明を付記する。
［付記１］
所定の音声と同期して動画を撮影する動画撮影手段と、
前記所定の音声の所定箇所に関する外部機器から出力されるタイミング情報を取得するタイミング情報取得手段と、
前記タイミング情報取得手段によって取得された前記タイミング情報を、前記動画撮影手段によって撮影される動画と対応付けて記憶するタイミング情報記憶手段と、
を備えることを特徴とする撮像装置。
［付記２］
前記所定の音声は、前記外部機器から音声出力され、
前記動画撮影手段は、前記外部機器から音声出力されている音声を録音しながら前記動画を撮影することを特徴とする付記１に記載の撮像装置。
［付記３］
前記タイミング情報記憶手段は、前記タイミング情報を前記タイミング情報取得手段によって取得されたタイミングで撮影された前記動画のフレームの位置を示す情報として記録することを特徴とする付記１または２に記載の撮像装置。
［付記４］
前記所定の音声は、編集され記録されている音声データが再生された音声であることを特徴とする付記１から３のいずれか１つに記載の撮像装置。
［付記５］
前記動画撮影手段による撮影の開始あるいは終了に応じて、外部機器に音声出力の開始あるいは終了を制御させる音声出力制御手段を備えることを特徴とする付記４に記載の撮像装置。
［付記６］
前記所定の音声は、リアルタイムで編集される音声データの音声であることを特徴とする付記１から３のいずれか１つに記載の撮像装置。
［付記７］
前記動画撮影手段は、外部機器における音声出力の開始あるいは終了に応じて、前記動画の撮影の開始あるいは終了を制御することを特徴とする付記４または６に記載の撮像装置。
［付記８］
前記タイミング情報記憶手段は、前記タイミング情報取得手段によって取得された前記タイミング情報を、前記動画撮影手段によって撮影されている動画に埋め込んで記録することを特徴とする付記４または６に記載の撮像装置。
［付記９］
前記タイミング情報記憶手段は、前記タイミング情報取得手段によって取得された前記タイミング情報を、前記動画撮影手段によって撮影されている動画とは別ファイルとして記録することを特徴とする付記４または６に記載の撮像装置。
［付記１０］
外部機器で撮影される動画と同期して音声を出力する音声出力手段と、
前記音声出力手段によって出力される音声の所定箇所に関するタイミング情報を前記外部機器に対して出力するタイミング情報出力手段と、
を備えることを特徴とする音声出力装置。
［付記１１］
所定の音声と同期して動画を撮影する動画撮影ステップと、
前記所定の音声の所定箇所に関する外部機器から出力されるタイミング情報を取得するタイミング情報取得ステップと、
前記タイミング情報取得ステップにおいて取得された前記タイミング情報を、前記動画撮影ステップにおいて撮影される動画と対応付けて記憶するタイミング情報記憶ステップと、
を含むことを特徴とする撮像方法。
［付記１２］
コンピュータを、
所定の音声と同期して動画を撮影する動画撮影手段と、
前記所定の音声の所定箇所に関する外部機器から出力されるタイミング情報を取得するタイミング情報取得手段と、
前記タイミング情報取得手段によって取得された前記タイミング情報を、前記動画撮影手段によって撮影される動画と対応付けて記憶するタイミング情報記憶手段と、
として機能させることを特徴とするプログラム。
【符号の説明】
【００８５】
１・・・撮像システム、１００・・・音声出力装置、２００・・・撮像装置、１１１、２１１・・・ＣＰＵ、１１２，２１２・・・ＲＯＭ、１１３、２１３・・・ＲＡＭ、１１４、２１４・・・バス、１１５、２１５・・・入出力インターフェース、２１６・・・撮像部、１１６、２１７・・・入力部、１１７、２１８・・・出力部、１１８、２１９・・・記憶部、１１９、２２１・・・電源制御部、１２０、２２０・・・通信部、１２１、２２２・・・ドライブ、１３１、２３１・・・リムーバブルメディア、１４１・・・撮影信号受信制御部、１４２・・・音楽出力部、１４３・・・イベント送信制御部、２４１・・・撮影信号送信制御部、２４２・・・イベント受信制御部、２４３・・・動画データ生成部
【図１】
2015032846.tif 000003
【図２】
2015032846.tif 000004
【図３】
2015032846.tif 000005
【図４】
2015032846.tif 000006
【図５】
2015032846.tif 000007
【図６】
2015032846.tif 000008
【図７】
2015032846.tif 000009
【図８】
2015032846.tif 000010
【図９】
2015032846.tif 000011
【図１０】
2015032846.tif 000012
【図１１】
2015032846.tif 000013